【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ネットワークエンティティから制御チャネルリソースの第１のインジケーションを受信することと、ここにおいて、前記制御チャネルリソースは、トラフィックデータの第１のタイプと関連付けられる制御データを含むことを無線アクセス技術によって定義される、
前記制御チャネルリソースにわたって前記ネットワークエンティティから制御チャネルを受信することと、ここにおいて、前記制御チャネルは、トラフィックデータの第２のタイプを含み、トラフィックデータの前記第２のタイプは、トラフィックデータの前記第１のタイプより比較的少ないデータペイロードを含む、
前記制御チャネルからのトラフィックデータの前記第２のタイプを復号する際に使用するための、グループ無線ネットワーク一時識別子（ＲＮＴＩ）を受信することと、
前記グループＲＮＴＩに少なくとも部分的に基づいて、前記制御チャネルからの制御データを復号することなしに前記制御チャネルからのトラフィックデータの前記第２のタイプを復号することと、
を備え、
ここにおいて、トラフィックデータの前記第２のタイプを前記復号することは、
前記グループＲＮＴＩを使用してグループ化されたトラフィックデータを求めて前記制御チャネルの許可スペースを探索することと、ここにおいて、前記グループ化されたトラフィックデータは、複数のユーザ機器（ＵＥ）のためのデータを含む、
前記グループ化されたトラフィックデータから、前記複数のＵＥのうちの所与のＵＥに割り当てられた、前記グループ化されたトラフィックデータ内のトラフィックデータの前記第２のタイプのリソース位置を決定することと、
前記リソース位置において、前記所与のＵＥのためのトラフィックデータの前記第２のタイプを復号することと、
を備える、
方法。
【請求項２】
前記制御チャネルリソースからの固定の時間期間で設定された次の制御チャネルリソースにわたって次の制御チャネルにおけるトラフィックデータの前記第２のタイプの再送を、前記ネットワークエンティティから、受信することをさらに備える、請求項１に記載の方法。
【請求項３】
前記第１のインジケーションを受信することは、前記ネットワークエンティティからのマルチステージの許可のうちの１つ以上のステージにおいて前記制御チャネルリソースの前記第１のインジケーションを受信することを備える、請求項１に記載の方法。
【請求項４】
前記制御チャネルリソースは、持続時間においてサブフレーム未満である送信時間間隔に基づく超低レイテンシ（ＵＬＬ）物理ダウンリンク制御チャネル（ｕＰＤＣＣＨ）に対応する、請求項１に記載の方法。
【請求項５】
前記グループＲＮＴＩを受信することは、前記ネットワークエンティティから、前記グループＲＮＴＩを受信することを備える、請求項１に記載の方法。
【請求項６】
前記ネットワークエンティティから、前記所与のＵＥのための前記リソース位置のインジケーションを受信することをさらに備える、請求項１に記載の方法。
【請求項７】
前記所与のＵＥのための前記リソース位置の前記インジケーションを受信することは、前記ネットワークエンティティから、無線リソース制御（ＲＲＣ）レイヤシグナリングにおいて、前記所与のＵＥのための前記リソース位置の前記インジケーションを受信することを備える、請求項６に記載の方法。
【請求項８】
ワイヤレス通信のためのユーザ機器であって、
トランシーバと、
ワイヤレスネットワークにおいて信号を通信するために、バスを介して、前記トランシーバに通信可能に結合される少なくとも１つのプロセッサと、
前記バスを介して前記トランシーバおよび／または前記少なくとも１つのプロセッサに通信可能に結合されるメモリと、
ここにおいて、前記少なくとも１つのプロセッサおよび前記メモリは、
ネットワークエンティティから制御チャネルリソースの第１のインジケーションを、前記トランシーバを介して、受信することと、ここにおいて、前記制御チャネルリソースは、トラフィックデータの第１のタイプと関連付けられる制御データを含むことを無線アクセス技術によって定義される、
前記制御チャネルリソースにわたって前記ネットワークエンティティから制御チャネルを、前記トランシーバを介して、受信することと、ここにおいて、前記制御チャネルは、トラフィックデータの第２のタイプを含み、トラフィックデータの前記第２のタイプは、トラフィックデータの前記第１のタイプより比較的少ないデータペイロードを含む、
前記制御チャネルからのトラフィックデータの前記第２のタイプを復号する際に使用するための、グループ無線ネットワーク一時識別子（ＲＮＴＩ）を受信することと、
前記グループＲＮＴＩに少なくとも部分的に基づいて、前記制御チャネルからの制御データを復号することなしに前記制御チャネルからのトラフィックデータの前記第２のタイプを復号することと、
を行うように動作可能である、
を備え、
ここにおいて、前記少なくとも１つのプロセッサおよびメモリは、少なくとも部分的に、
前記グループＲＮＴＩを使用してグループ化されたトラフィックデータを求めて前記制御チャネルの許可スペースを探索することと、ここにおいて、前記グループ化されたトラフィックデータは、複数のユーザ機器（ＵＥ）のためのデータを含む、
前記グループ化されたトラフィックデータから、前記ユーザ機器に割り当てられた、前記グループ化されたトラフィックデータ内のトラフィックデータの前記第２のタイプのリソース位置を決定することと、
前記リソース位置において、前記ユーザ機器のためのトラフィックデータの前記第２のタイプを復号すること
によって、トラフィックデータの前記第２のタイプを復号するように動作可能である、
ユーザ機器。
【請求項９】
前記少なくとも１つのプロセッサおよび前記メモリは、前記制御チャネルリソースからの固定の時間期間で設定された次の制御チャネルリソースにわたって次の制御チャネルにおけるトラフィックデータの前記第２のタイプの再送を、前記トランシーバを介して前記ネットワークエンティティから、受信するようにさらに動作可能である、請求項８に記載のユーザ機器。
【請求項１０】
前記少なくとも１つのプロセッサおよび前記メモリは、前記ネットワークエンティティからのマルチステージの許可のうちの１つ以上のステージにおいて前記制御チャネルリソースの前記第１のインジケーションを受信するように動作可能である、請求項８に記載のユーザ機器。
【請求項１１】
前記制御チャネルリソースは、持続時間においてサブフレーム未満である送信時間間隔に基づく超低レイテンシ（ＵＬＬ）物理ダウンリンク制御チャネル（ｕＰＤＣＣＨ）に対応する、請求項８に記載のユーザ機器。
【請求項１２】
前記少なくとも１つのプロセッサおよび前記メモリは、前記ネットワークエンティティから、前記グループＲＮＴＩを受信するように動作可能である、請求項８に記載のユーザ機器。
【請求項１３】
前記少なくとも１つのプロセッサおよび前記メモリは、前記ネットワークエンティティから、前記ユーザ機器のための前記リソース位置のインジケーションを受信するようにさらに動作可能である、請求項８に記載のユーザ機器。
【請求項１４】
前記少なくとも１つのプロセッサおよび前記メモリは、前記ネットワークエンティティから、無線リソース制御（ＲＲＣ）レイヤシグナリングにおいて、前記所与のＵＥのための前記リソース位置の前記インジケーションを受信するように動作可能である、請求項１３に記載のユーザ機器。
【請求項１５】
ワイヤレス通信のためのユーザ機器であって、
ネットワークエンティティから制御チャネルリソースの第１のインジケーションを受信するための手段と、ここにおいて、前記制御チャネルリソースは、トラフィックデータの第１のタイプと関連付けられる制御データを含むことを無線アクセス技術によって定義される、
前記制御チャネルリソースにわたって前記ネットワークエンティティから制御チャネルを受信するための手段と、ここにおいて、前記制御チャネルは、トラフィックデータの第２のタイプを含み、トラフィックデータの前記第２のタイプは、トラフィックデータの前記第１のタイプより比較的少ないデータペイロードを含む、
前記ネットワークエンティティから、前記制御チャネルからのトラフィックデータの前記第２のタイプを復号する際に使用するための、グループ無線ネットワーク一時識別子（ＲＮＴＩ）を受信するための手段と、
前記グループＲＮＴＩに少なくとも部分的に基づいて、前記制御チャネルからの制御データを復号することなしに前記制御チャネルからのトラフィックデータの前記第２のタイプを復号するための手段と、
を備え、
ここにおいて、前記復号するための手段は、少なくとも部分的に、
前記グループＲＮＴＩを使用してグループ化されたトラフィックデータを求めて前記制御チャネルの許可スペースを探索することと、ここにおいて、前記グループ化されたトラフィックデータは、複数のユーザ機器（ＵＥ）のためのデータを含む、
前記グループ化されたトラフィックデータから、前記ユーザ機器に割り当てられた、前記グループ化されたトラフィックデータ内のトラフィックデータの前記第２のタイプのリソース位置を決定することと、
前記リソース位置において、前記ユーザ機器のためのトラフィックデータの前記第２のタイプを復号すること
によって、トラフィックデータの前記第２のタイプを復号する、
ユーザ機器。
【請求項１６】
前記制御チャネルリソースからの固定の時間期間で設定された次の制御チャネルリソースにわたって次の制御チャネルにおけるトラフィックデータの前記第２のタイプの再送を、前記ネットワークエンティティから、受信するための手段をさらに備える、請求項１５に記載のユーザ機器。
【請求項１７】
受信するための手段は、前記ネットワークエンティティからのマルチステージの許可のうちの１つ以上のステージにおいて前記制御チャネルリソースの前記第１のインジケーションを受信する、請求項１５に記載のユーザ機器。
【請求項１８】
前記グループＲＮＴＩを受信するための前記手段は、前記ネットワークエンティティから、前記グループＲＮＴＩを受信する、請求項１５に記載のユーザ機器。
【請求項１９】
前記ネットワークエンティティから、前記ユーザ機器のための前記リソース位置のインジケーションを受信するための手段をさらに備える、請求項１５に記載のユーザ機器。
【請求項２０】
前記所与のＵＥのための前記リソース位置の前記インジケーションを受信するための前記手段は、前記ネットワークエンティティから、無線リソース制御（ＲＲＣ）レイヤシグナリングにおいて、前記所与のＵＥのための前記リソース位置の前記インジケーションを受信する、請求項１９に記載のユーザ機器。
【請求項２１】
ワイヤレス通信のためのコンピュータ実行可能なコードを備える非一時的コンピュータ可読記憶媒体であって、前記コードは、
ネットワークエンティティから制御チャネルリソースの第１のインジケーションを受信するためのコードと、ここにおいて、前記制御チャネルリソースは、トラフィックデータの第１のタイプと関連付けられる制御データを含むことを無線アクセス技術によって定義される、
前記制御チャネルリソースにわたって前記ネットワークエンティティから制御チャネルを受信するためのコードと、ここにおいて、前記制御チャネルは、トラフィックデータの第２のタイプを含み、トラフィックデータの前記第２のタイプは、トラフィックデータの前記第１のタイプより比較的少ないデータペイロードを含む、
前記ネットワークエンティティから、前記制御チャネルからのトラフィックデータの前記第２のタイプを復号する際に使用するための、グループ無線ネットワーク一時識別子（ＲＮＴＩ）を受信するためのコードと、
前記グループＲＮＴＩに少なくとも部分的に基づいて、前記制御チャネルからの制御データを復号することなしに前記制御チャネルからのトラフィックデータの前記第２のタイプを復号するためのコードと、
を備え、
ここにおいて、復号するための前記コードは、少なくとも部分的に、
前記グループＲＮＴＩを使用してグループ化されたトラフィックデータを求めて前記制御チャネルの許可スペースを探索することと、ここにおいて、前記グループ化されたトラフィックデータは、複数のユーザ機器（ＵＥ）のためのデータを含む、
前記グループ化されたトラフィックデータから、前記複数のＵＥのうちの所与のＵＥに割り当てられた、前記グループ化されたトラフィックデータ内のトラフィックデータの前記第２のタイプのリソース位置を決定することと、
前記リソース位置において、前記所与のＵＥのためのトラフィックデータの前記第２のタイプを復号すること
によって、トラフィックデータの前記第２のタイプを復号する、
非一時的コンピュータ可読記憶媒体。
【請求項２２】
前記制御チャネルリソースからの固定の時間期間で設定された次の制御チャネルリソースにわたって次の制御チャネルにおけるトラフィックデータの前記第２のタイプの再送を、前記ネットワークエンティティから、受信するためのコードをさらに備える、請求項２１に記載の非一時的コンピュータ可読記憶媒体。
【請求項２３】
受信するためのコードは、前記ネットワークエンティティからのマルチステージの許可のうちの１つ以上のステージにおいて前記制御チャネルリソースの前記第１のインジケーションを受信する、請求項２１に記載の非一時的コンピュータ可読記憶媒体。
【請求項２４】
前記グループＲＮＴＩを受信するための前記コードは、前記ネットワークエンティティから、前記グループＲＮＴＩを受信する、請求項２１に記載の非一時的コンピュータ可読記憶媒体。
【請求項２５】
前記コードは、前記ネットワークエンティティから、前記所与のＵＥのための前記リソース位置のインジケーションを受信するためのコードをさらに備える、請求項２１に記載の非一時的コンピュータ可読記憶媒体。
【請求項２６】
前記所与のＵＥのための前記リソース位置の前記インジケーションを受信するための前記コードは、前記ネットワークエンティティから、無線リソース制御（ＲＲＣ）レイヤシグナリングにおいて、前記所与のＵＥのための前記リソース位置の前記インジケーションを受信する、請求項２５に記載の非一時的コンピュータ可読記憶媒体。